(57)【要約】【課題】  ウェブサーバ機能を備えた複合機において、複数のユーザがそれぞれ所望の言語のウェブページをクライアントＰＣから閲覧することができる複合機を提供すること。【解決手段】  本発明の複合機１は、ウェブサーバ機能を備えた複合機において、ユーザＩＤと言語情報とを対応付けて登録する登録手段１６と、クライアントＰＣ２０からウェブページの送信要求があった場合に当該クライアントＰＣ２０のユーザＩＤと対応付けて前記登録手段１６に登録された言語情報のウェブページを当該クライアントＰＣ２０に送信する手段２と、を備える。【選択図】      図５
2006135774.tif 000002
【特許請求の範囲】
【請求項１】
ウェブサーバ機能を備えた複合機において、言語指定情報の選択の受け付け及び選択された言語指定情報の返信をクライアント装置に実行させるための記述が設けられたウェブページをクライアント装置に送信する手段と、前記クライアント装置から言語指定情報を受信した場合に、前記ウェブページと同じ内容のものであって受信した前記言語指定情報が指定する言語のウェブページを当該クライアント装置に送信する手段と、を備えることを特徴とする複合機。
【請求項２】
ウェブサーバ機能を備えた複合機において、ユーザ識別情報と言語指定情報とを対応付けて登録する登録手段と、クライアント装置からウェブページの送信要求があった場合に、当該クライアント装置のユーザ識別情報と対応付けて前記登録手段に登録された言語指定情報が指定する言語のウェブページを当該クライアント装置に送信する手段と、を備えることを特徴とする複合機。
【請求項３】
ウェブサーバ機能を備えた複合機において、ＩＰアドレスと言語指定情報とを対応付けて登録する登録手段と、クライアント装置からウェブページの送信要求があった場合に、当該クライアント装置のＩＰアドレスと対応付けて前記登録手段に登録された言語指定情報が指定する言語のウェブページを当該クライアント装置に送信する手段と、を備えることを特徴とする複合機。
【請求項４】
ウェブサーバ機能を備えた複合機において、ユーザ識別情報と共有ユーザ識別情報であるか否かを判別する共有ユーザ判別情報とを対応付けて登録する共有ユーザ判別情報登録手段と、言語指定情報とユーザ識別情報又はＩＰアドレスとを対応付けて登録する言語指定情報登録手段と、クライアント装置からウェブページの送信要求があった場合に、前記共有ユーザ判別情報から当該クライアント装置のユーザ識別情報が共有ユーザ識別情報であるか否かを判別し、当該クライアント装置のユーザ識別情報が共有ユーザ識別情報である場合、当該クライアント装置のＩＰアドレスに対応付けられた言語指定情報が指定する言語のウェブページを当該クライアント装置に送信する一方、当該クライアント装置のユーザ識別情報が共有ユーザ識別情報でない場合、当該クライアント装置のユーザ識別情報に対応付けられた言語指定情報が指定する言語のウェブページを当該クライアント装置に送信する手段と、を備えることを特徴とする複合機。
【発明の詳細な説明】
【技術分野】
【０００１】
本発明は、ネットワーク通信を行う複合機に関し、詳しくは、ウェブサーバ機能を備える複合機に関する。
【背景技術】
【０００２】
近年、コピー機能、ファクシミリ通信機能、電子掲示板機能など多機能を備えた複合機が普及している。このような複合機の中には、ウェブサーバ機能を備え、ネットワークに接続されたクライアントＰＣ（Personal Computer）から、複合機のファクシミリ送受信履歴や各種の設定状態等が記載されたウェブページを閲覧することができるものがある（例えば、特許文献１参照。）。
【０００３】
また、最近、ウェブサーバ機能を備えた複合機の中には、日本語用ウェブページと英語用ウェブページを記憶しているものがあり、ユーザは、クライアントＰＣに送信されるウェブページの言語を日本語及び英語の２ヶ国語から選択することができる。
【０００４】
なお、ウェブサーバ機能を備えたその他の複合機に関する技術として、複合機から送信した画像データのファイル名がクライアントＰＣのディスプレイに文字化けして表示されることを防止するためのものがある。この複合機は、クライアントＰＣの設定言語を先に取得し、取得した言語のソフトキーボードを自装置の表示部に表示するものである（例えば、特許文献２参照。）。
【特許文献１】特開２０００−１６５５８７号公報
【特許文献２】特開２００３−２６３２６３号公報
【発明の開示】
【発明が解決しようとする課題】
【０００５】
しかしながら、ウェブサーバ機能を備えた従来の複合機により、クライアントＰＣに提供されるウェブページは、複合機で設定された言語のウェブページであるため、複数のユーザが異なる言語のウェブページを閲覧したいといった要求がある場合に対応できないという問題点があった。また、ユーザは、所望の言語のウェブページをクライアントＰＣに表示させる前に、複合機の言語設定をその都度変更しなければならなかったので、大変面倒であった。
【０００６】
本発明は、以上のような問題点に鑑みてなされたものであり、ウェブサーバ機能を備えた複合機において、複合機側の言語設定変更をその都度行うことなく、複数のユーザがそれぞれ所望の言語のウェブページをクライアントＰＣから閲覧することを可能とする複合機を提供することを目的とする。
【課題を解決するための手段】
【０００７】
上記目的を達成するために、請求項１記載の複合機は、ウェブサーバ機能を備えた複合機において、言語指定情報の選択の受け付け及び選択された言語指定情報の返信をクライアント装置に実行させるための記述が設けられたウェブページをクライアント装置に送信する手段と、前記クライアント装置から言語指定情報を受信した場合に、前記ウェブページと同じ内容のものであって受信した前記言語指定情報が指定する言語のウェブページを当該クライアント装置に送信する手段と、を備えることを特徴としている。
【０００８】
請求項２記載の複合機は、ウェブサーバ機能を備えた複合機において、ユーザ識別情報と言語指定情報とを対応付けて登録する登録手段と、クライアント装置からウェブページの送信要求があった場合に、当該クライアント装置のユーザ識別情報と対応付けて前記登録手段に登録された言語指定情報が指定する言語のウェブページを当該クライアント装置に送信する手段と、を備えることを特徴としている。
【０００９】
請求項３記載の複合機は、ウェブサーバ機能を備えた複合機において、ＩＰアドレスと言語指定情報とを対応付けて登録する登録手段と、クライアント装置からウェブページの送信要求があった場合に、当該クライアント装置のＩＰアドレスと対応付けて前記登録手段に登録された言語指定情報が指定する言語のウェブページを当該クライアント装置に送信する手段と、を備えることを特徴としている。
【００１０】
請求項４記載の複合機は、ウェブサーバ機能を備えた複合機において、ユーザ識別情報と共有ユーザ識別情報であるか否かを判別する共有ユーザ判別情報とを対応付けて登録する共有ユーザ判別情報登録手段と、言語指定情報とユーザ識別情報又はＩＰアドレスとを対応付けて登録する言語指定情報登録手段と、クライアント装置からウェブページの送信要求があった場合に、前記共有ユーザ判別情報から当該クライアント装置のユーザ識別情報が共有ユーザ識別情報であるか否かを判別し、当該クライアント装置のユーザ識別情報が共有ユーザ識別情報である場合、当該クライアント装置のＩＰアドレスに対応付けられた言語指定情報が指定する言語のウェブページを当該クライアント装置に送信する一方、当該クライアント装置のユーザ識別情報が共有ユーザ識別情報でない場合、当該クライアント装置のユーザ識別情報に対応付けられた言語指定情報が指定する言語のウェブページを当該クライアント装置に送信する手段と、を備えることを特徴としている。
【発明の効果】
【００１１】
請求項１記載の複合機によれば、クライアント装置が複合機から受信して表示したウェブページの画面上で表示言語の切換えをすることができるので、複合機側の設定に依存することなく、複数のユーザがそれぞれ所望の言語のウェブページを閲覧することができる。
【００１２】
請求項２記載の複合機によれば、ユーザ識別情報と対応付けて登録された言語指定情報が指定する言語のウェブページがクライアント装置に送信されるので、ユーザは、ウェブページを閲覧する毎に言語設定を行うことなく、所望の言語のウェブページを閲覧することができる。
【００１３】
請求項３記載の複合機によれば、ＩＰアドレスと対応付けて登録された言語指定情報が指定する言語のウェブページがクライアント装置に送信されるので、ユーザは、ウェブページを閲覧する毎に言語設定を行うことなく、所望の言語のウェブページを閲覧することができる。また、ユーザ識別情報を複数のユーザで共有している場合でも、各ユーザがそれぞれ異なる言語のウェブページを閲覧することができる。
【００１４】
請求項４記載の複合機によれば、クライアント装置のユーザ識別情報が共有ユーザ識別情報である場合、クライアント装置のＩＰアドレスと対応付けて登録された言語指定情報が指定する言語のウェブページがクライアント装置に送信されるので、ユーザ識別情報を複数のユーザで共有している場合にも、各ユーザは、ウェブページを閲覧する毎に言語設定を行うことなく、それぞれ異なる言語のウェブページを閲覧することができる。
【発明を実施するための最良の形態】
【００１５】
以下、本発明の第１の実施形態に係る複合機を図面に基づいて説明する。複合機１は、図１に例示するように、制御部（ＭＰＵ：Microprocessing Unit）２、ＲＯＭ（Read Only Memory）３、ＲＡＭ（Random Access Memory）４、原稿読取部５、コーデック６、画像メモリ７、記録部８、操作部９、表示部１０、モデム１１、ＮＣＵ（Network Control Unit）１２、ＨＤＤ（Hard Disk Drive）１３、及びＬＡＮ Ｉ／Ｆ（Local Area Network Interface）１４を備えたものであって、各部２乃至１４はバス１５によって通信可能に接続されている。
【００１６】
制御部２は、ＲＯＭ３に格納された制御プログラムに従って、この複合機１を構成する各部を制御するものである。ＲＡＭ４は、制御部２の主メモリ、ワークエリア等として機能し、各種の設定情報などを記憶している。また、ＲＡＭ４には、後述する言語指定情報等が登録される第１のテーブル１６及び第２のテーブル１７が設けられている。
【００１７】
原稿読取部５は、原稿の画像データを読取って所定の出力先に出力するものであり、図示しないが、ＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。コーデック６は、コピーやファクシミリ送受信等のために画像データの符号化及び復号を行うものである。ここでは、原稿読取部５から出力された画像データをＪＰＥＧ（Joint Photographic Experts Group）、ＭＨ（Modified Huffman）、ＭＲ（Modified Read）、ＭＭＲ（Modified Modified Read）方式等により符号化し、ファクシミリ受信した画像データなどを復号する。
【００１８】
画像メモリ７は、原稿読取部５から直接出力された画像データ、コーデック６において符号化された画像データ、ファクシミリ受信した画像データ等を蓄積する。記録部８は、画像メモリ７から読み出された画像データの画像を用紙に記録するものである。この記録部８における記録方式としては、例えば、電子写真方式を用いることができる。
【００１９】
操作部９は、図示しないが、原稿読取部５に原稿の読取開始を指示するためのスタートキー、ファクシミリ番号やコピー部数等を入力するためのテンキー、ワンタッチダイヤルに予め登録された宛先を指定するためのワンタッチキー、各種設定を行うためのカーソルキーなど、表示部１０と連動した各種操作キーを備えている。表示部１０は、各種の設定状態や複合機１の動作状態などを文字や図形などで表示する液晶表示装置（ＬＣＤ：Liquid Crystal Display）や、点灯又は消灯で表示するＬＥＤランプなどを備えている。なお、液晶表示装置は、いわゆるタッチパネル式のものであり、操作部９に代えてこの液晶表示装置の画面をユーザが指等で触れることにより各種の操作を行うこともできる。
【００２０】
モデム１１は、例えばＩＴＵ−Ｔ（国際電気通信連合電気通信標準化部門）の勧告Ｖ．３０規格又はこれと同様のものに従った送受信データの変調及び復調を行うものである。ＮＣＵ１２は、電話回線を制御して電話をかけたり、切ったりする回線網制御装置であり、ＰＳＴＮ（Public Switched Telephone Network）１８に接続されている。制御部２は、モデム１１及びＮＣＵ１２を制御して画像データのファクシミリ送受信を行うことができる。
【００２１】
ＨＤＤ１３は、複合機１のファクシミリ送受信履歴や各種の設定状態等が日本語、英語、フランス語、スペイン語、ドイツ語、中国語の各国言語向けに作成されたＨＴＭＬ（Hypertext Markup Language）ファイル（以下、「ウェブページ」という。）を記憶している。勿論、上記した国の言語の種類、数は任意である。
【００２２】
ＬＡＮ Ｉ／Ｆ１４は、ＬＡＮ（Local Area Network）１９と複合機１とを通信可能に接続するインターフェースである。ＬＡＮ１９には、ブラウザ機能が組み込まれた複数のクライアント装置（以下、「クライアントＰＣ」という。）２０ａ（２０）乃至２０ｃ（２０）が設置されており、各クライアントＰＣ２０から複合機１が有する各種機能を利用することができるようになっている。また、各クライアントＰＣ２０には、図示するようにＩＰアドレスが割り当てられている。なお、ＬＡＮ１９に設置されるクライアントＰＣ２０の数は、任意である。
【００２３】
また、複合機１は、ウェブサーバ機能を備えており、クライアントＰＣ２０から送信を要求されたウェブページをクライアントＰＣ２０に送信する。複合機１とクライアントＰＣ２０とは、例えばＨＴＴＰ（Hypertext Transfer Protocol）により通信を行う。
【００２４】
上記構成を備える複合機１は、クライアントＰＣ２０からウェブページの送信要求があった場合に、送信するウェブページの言語をクライアントＰＣ２０のユーザ識別情報（以下、「ユーザＩＤ」という。）又はクライアントＰＣ２０のＩＰアドレスに基づいて決定し、ＨＤＤ１３に記憶された複数国語のウェブページのうちいずれか１つを選択してクライアントＰＣ２０に送信する機能を備える。そのため、複合機１においては、ユーザＩＤ、パスワード等とともに、複合機１が送信するウェブページの言語を指定する言語指定情報が登録される。
【００２５】
送信するウェブページの言語をクライアントＰＣ２０のユーザＩＤ及びクライアントＰＣ２０のＩＰアドレスのいずれに基づいて決定するかは、予めなされた設定に従うようになっている。この設定は、クライアントＰＣ２０又は操作部９から行われる。図２は、クライアントＰＣ２０のディスプレイ又は表示部１０に表示されるユーザＩＤ／ＩＰアドレス設定画面の一例を示した図である。図示するように、ユーザＩＤ／ＩＰアドレス設定画面２１は、例えば「送信するウェブページの言語をユーザＩＤ及びＩＰアドレスのいずれに基づいて決定するかを選択して下さい。」といったユーザＩＤ及びＩＰアドレスのいずれかの選択を要求するメッセージ、ユーザＩＤボタン２２、ＩＰアドレスボタン２３等を具備する。複合機１は、ユーザＩＤボタン２２及びＩＰアドレスボタン２３のいずれかが選択されると、選択された方の設定を受け付けてＲＡＭ４の所定領域に記憶する。
【００２６】
また、前記ユーザＩＤ、言語指定情報は、クライアントＰＣ２０において、例えば次に説明するようなユーザ情報登録画面から登録される。すなわち、ユーザＩＤ、パスワード、言語指定情報等を含めたユーザに関する情報（以下、「ユーザ情報」という。）をクライアントＰＣ２０から登録する場合、予めクライアントＰＣ２０において複合機１にユーザＩＤ及びパスワードを提示してログインする。その後、クライアントＰＣ２０で所定操作がなされることによって、ユーザ情報登録画面のＵＲＬ（Uniform Resource Locators）を指定したリクエストが複合機１に送信されると、複合機１は、ユーザ情報登録画面のウェブページを要求元のクライアントＰＣ２０に送信する。
【００２７】
クライアントＰＣ２０は、複合機１からユーザ情報登録画面のウェブページを受信すると、それをディスプレイ（不図示）にブラウザにより表示する。図３は、ユーザ情報登録画面の一例を示した図である。図示するように、ユーザ情報登録画面２４は、ユーザＩＤ、パスワード、ＩＰアドレス、会社名等の情報を入力するための入力ボックス２５、ユーザＩＤが共有ユーザ識別情報（以下、「共有ユーザＩＤ」という。）であるか否かを判別する共有ユーザ判別情報を登録するためのチェックボックス２６、複合機１に要求するウェブページの言語を指定する言語指定情報を選択するための言語選択ボタン２７、入力されたユーザ情報を複合機１に送信するための設定ボタン２８等を具備する。ユーザによって設定ボタン２８がマウス（不図示）等で押下されることにより、画面上で入力ないし選択された情報がクライアントＰＣ２０から複合機１に送信され、複合機１においてそれらの情報が登録される。なお、前記した共有ユーザＩＤとは、複数のユーザで共有するユーザＩＤのことである。また、本実施形態では、図示するようにラジオボタン形式の言語選択ボタン２７で言語指定情報が選択されるようになっているが、プルダウンメニュー形式のメニューバーで言語指定情報が選択されるようにしてもよい。
【００２８】
上記したユーザ情報の登録は、複合機１の操作部９からも行うことができる。例えば、操作部９から所定の操作を行って図３に例示したユーザ情報登録画面２１と同様の画面を表示部１０に表示させる。そして、表示された画面に従ってユーザ情報が入力ないし選択されることにより、複合機１は、画面上で入力ないし選択されたユーザ情報を登録する。
【００２９】
操作部９又はクライアントＰＣ２０から登録されるユーザ情報は、ＲＡＭ４のユーザ情報管理テーブル（不図示）に登録されるとともに、言語指定情報及びユーザＩＤ又はＩＰアドレスが後述するテーブル１６、１７に登録される。すなわち、図４のフローチャートに示すように、複合機１において、ユーザ情報登録画面２４を通じてユーザ情報が登録されたとき（Ｓ１：ＹＥＳ）、制御部２は、送信するウェブページの言語をクライアントＰＣ２０のユーザＩＤに基づいて決定する設定であるか、又はクライアントＰＣ２０のＩＰアドレスに基づいて決定する設定であるかを判断する（Ｓ２）。送信するウェブページの言語をクライアントＰＣ２０のユーザＩＤに基づいて決定する設定であると判断した場合（Ｓ２：ユーザＩＤ）、操作部９又はクライアントＰＣ２０から登録されたユーザ情報からユーザＩＤと言語指定情報を抽出してこれらを対応付けて第１のテーブル１６に登録する（Ｓ３）。一方、送信するウェブページの言語をクライアントＰＣ２０のＩＰアドレスに基づいて決定する設定であると判断した場合（Ｓ２：ＩＰアドレス）、操作部９又はクライアントＰＣ２０から登録されたユーザ情報からＩＰアドレスと言語指定情報を抽出してこれらを対応付けて第２のテーブル１７に登録する（Ｓ４）。
【００３０】
図５は、前記第１のテーブル１６を例示した図である。図示するように、第１のテーブル１６は、「番号」フィールド、「ユーザＩＤ」フィールド、及び「言語指定情報」フィールドからなる。「番号」フィールドには、行番号が格納される。「ユーザＩＤ」フィールドには、ユーザ情報登録画面２４を通じて登録されたユーザＩＤが格納される。「言語指定情報」フィールドには、ユーザ情報登録画面２４を通じて登録された日本語、英語等の言語指定情報が格納される。
【００３１】
図６は、前記第２のテーブル１７を例示した図である。図示するように、第２のテーブル１７は、「番号」フィールド、「ＩＰアドレス」フィールド、及び「言語指定情報」フィールドからなる。「番号」フィールドには、行番号が格納される。「ＩＰアドレス」フィールドには、ユーザ情報登録画面２４を通じて登録されたＩＰアドレスが格納される。「言語指定情報」フィールドには、ユーザ情報登録画面２４を通じて登録された言語指定情報が格納される。
【００３２】
なお、上記説明によれば、第１のテーブル１６及び第２のテーブル１７への言語指定情報、ユーザＩＤ、ＩＰアドレスの登録は、ユーザ情報登録画面２４を通じてユーザ情報が登録された後、自動的に実行されるようになっているが、操作部９又はクライアントＰＣ２０から直接第１のテーブル１６及び第２のテーブル１７の内容を編集することができるようにもなっている。
【００３３】
次に、クライアントＰＣ２０からウェブページの送信要求があった場合に複合機１において実行される処理動作を図７に示すフローチャートに基づいて説明する。制御部２は、クライアントＰＣ２０が複合機１にログインしたか否かを繰り返し判断する（Ｓ１１）。クライアントＰＣ２０が複合機１にログインした場合（Ｓ１１：ＹＥＳ）、クライアントＰＣ２０のユーザＩＤとＩＰアドレスとを対応付けてＲＡＭ４に記憶する（Ｓ１２）。なお、ここでＲＡＭ４に記憶されたユーザＩＤとＩＰアドレスは、クライアントＰＣ２０が複合機１からログアウトすると、消去される。
【００３４】
次に、制御部２は、クライアントＰＣ２０からウェブページの送信要求を受信したか否かを判断する（Ｓ１３）。クライアントＰＣ２０からウェブページの送信要求を受信したと判断した場合（Ｓ１３：ＹＥＳ）、送信するウェブページの言語をクライアントＰＣ２０のユーザＩＤに基づいて決定する設定であるか、又はクライアントＰＣ２０のＩＰアドレスに基づいて決定する設定であるかを判断する（Ｓ１４）。
【００３５】
制御部２は、送信するウェブページの言語をクライアントＰＣ２０のユーザＩＤに基づいて決定する設定であると判断した場合（Ｓ１４：ユーザＩＤ）、前記Ｓ１２でＲＡＭ４に記憶したユーザＩＤと対応付けて第１のテーブル１６に登録された言語指定情報が指定する言語のウェブページをＨＤＤ１３から読み出してクライアントＰＣ２０へ送信する（Ｓ１５）。例えば、ウェブページの送信を要求するクライアントＰＣ２０のユーザＩＤが「Ｈｅｎｒｙ」であった場合、「Ｈｅｎｒｙ」と対応付けて第１のテーブル１６に登録されたフランス語のウェブページをＨＤＤ１３から読み出してクライアントＰＣ２０に送信する（図５参照）。
【００３６】
一方、制御部２は、送信するウェブページの言語をクライアントＰＣ２０のＩＰアドレスに基づいて決定する設定である場合（Ｓ１４：ＩＰアドレス）、前記Ｓ１２でＲＡＭ４に記憶したＩＰアドレスと対応付けて第２のテーブル１７に登録された言語指定情報が指定する言語のウェブページをＨＤＤ１３から読み出して送信する（Ｓ１６）。例えば、ウェブページの送信を要求するクライアントＰＣ２０のＩＰアドレスが１９２．１６８．１．３であった場合、ＩＰアドレス：１９２．１６８．１．３と対応付けて第２のテーブル１７に登録されたドイツ語のウェブページをＨＤＤ１３から読み出してクライアントＰＣ２０に送信する（図６参照）。
【００３７】
以上説明したように、複合機１は、ユーザＩＤ又はＩＰアドレスと対応付けて登録された言語指定情報が指定する言語のウェブページをクライアントＰＣ２０に送信する。一方、クライアントＰＣ２０は、複合機１から受信したファクシミリ送受信履歴等のウェブページをブラウザにより自装置２０のディスプレイに表示する。ここで、複合機１がクライアントＰＣ２０に対して送信するウェブページには、クライアントＰＣ２０においてブラウザにより表示された画面上で言語指定情報の選択を受け付け、選択された言語指定情報を返信する処理動作をブラウザに実行させるための記述が設けられている。
【００３８】
図８は、日本語のファクシミリ受信履歴のウェブページがブラウザによりクライアントＰＣ２０のディスプレイに表示されたファクシミリ受信履歴画面の一例を示した図である。図示するように、ファクシミリ受信履歴画面２９には、ファクシミリ受信履歴とともに、言語指定情報の選択を受け付けるための記述がブラウザにより実行されて、プルダウン形式のメニューバー３０が表示される。ユーザがこのメニューバー３０をマウス等で選択すると、図９に示すように、各国言語を示すメニューが表示される。ここで、ユーザが他国の言語指定情報（ここでは、日本語以外の言語指定情報）を選択した場合、クライアントＰＣ２０は、この言語指定情報を複合機１に返信する。以下、クライアントＰＣ２０が返信した言語指定情報を複合機１が受信した場合に実行される処理動作を図１０に示すフローチャートに基づいて説明する。
【００３９】
制御部２は、クライアントＰＣ２０が返信した言語指定情報を受信したと判断した場合（Ｓ２１：ＹＥＳ）、直前にクライアントＰＣ２０に送信したウェブページと同じ内容のウェブページであって、受信した言語指定情報が指定する言語のウェブページをＨＤＤ１３から読み出してクライアントＰＣ１３に送信する（Ｓ２２）。例えば、直前に日本語のファクシミリ受信履歴のウェブページをクライアントＰＣ２０に送信していた場合には、同じ内容の英語のファクシミリ受信履歴のウェブページをＨＤＤ１３から読み出してクライアントＰＣ２０に送信する。
【００４０】
次に、制御部２は、送信するウェブページの言語をクライアントＰＣ２０のユーザＩＤに基づいて決定する設定であるか、又はクライアントＰＣ２０のＩＰアドレスに基づいて決定する設定であるかを判断する（Ｓ２３）。送信するウェブページの言語をクライアントＰＣ２０のユーザＩＤに基づいて決定する設定であると判断した場合（Ｓ２３：ユーザＩＤ）、言語指定情報を返信したクライアントＰＣ２０のユーザＩＤと第１のテーブル１６に対応付けて登録された言語指定情報を、受信した言語指定情報に書換える（Ｓ２４）。
【００４１】
一方、制御部２は、送信するウェブページの言語をクライアントＰＣ２０のＩＰアドレスに基づいて決定する設定であると判断した場合（Ｓ２３：ＩＰアドレス）、言語指定情報を返信したクライアントＰＣ２０のＩＰアドレスと第２のテーブル１７に対応付けて登録された言語指定情報を、受信した言語指定情報に書換える（Ｓ２５）。
【００４２】
このように、複合機１は、ファクシミリ受信履歴画面２９等に表示されたメニューバーで選択された言語指定情報を受信した場合に、受信した言語指定情報が指定する言語のウェブページをクライアントＰＣ２０に送信するので、ユーザは、ファクシミリ受信履歴等のウェブページを閲覧している場合でも、複合機１が送信するウェブページの言語を変更することができる。また、複合機１は、第１のテーブル１６又は第２のテーブル１７に登録された言語指定情報を、受信した言語指定情報に書換えるので、ユーザは、ユーザ情報登録時のほか、ウェブページを閲覧している際にも、クライアントＰＣ２０から言語指定情報を登録することができる。
【００４３】
次に、本発明の第２の実施形態に係る複合機１Ａについて説明する。第１の実施形態に係る複合機１は、送信するウェブページの言語をユーザＩＤ及びＩＰアドレスのいずれに基づいて決定するかの設定に従って、第１のテーブル１６又は第２のテーブル１７を使用し、送信するウェブページの言語を決定するようになっていた。これに対し、第２の実施形態に係る複合機１Ａは、ユーザＩＤが共有ユーザＩＤであるか否かを判別する共有ユーザ判別情報に基づいて、第１のテーブル１６又は第２のテーブル１７を使用し、送信するウェブページの言語を決定する点が主に相違する。以下、第１の実施形態に係る複合機１と共通する機能及び処理動作については同一符号を付してその説明を省略し、相違点のみを主に説明する。
【００４４】
ユーザ情報登録画面２４を通じてユーザ情報を登録した場合に複合機１Ａにおいて実行される処理動作を図１１に示すフローチャートに基づいて説明する。複合機１において、ユーザ情報登録画面２４を通じてユーザ情報が登録されたとき（Ｓ１：ＹＥＳ）、制御部２は、登録されたユーザ情報からユーザＩＤを抽出して、これが共有ユーザＩＤであるか否かを判断する（Ｓ１０１）。具体的には、登録されたユーザ情報からユーザＩＤとともに、共有ユーザ判別情報を抽出し、これに基づいて、抽出したユーザＩＤが共有ユーザＩＤであるか否かを判断する。
【００４５】
制御部２は、登録されたユーザ情報から抽出したユーザＩＤが共有ユーザＩＤでないと判断した場合（Ｓ１０１：ＮＯ）、前記Ｓ３の処理動作を実行する。一方、登録されたユーザ情報から抽出したユーザＩＤが共有ユーザＩＤであると判断した場合（Ｓ１０１：ＹＥＳ）、前記Ｓ４の処理動作を実行する。
【００４６】
次に、クライアントＰＣ２０からウェブページの送信要求があった場合に複合機１Ａにおいて実行される処理動作を図１２に示すフローチャートに基づいて説明する。制御部２は、前記Ｓ１１乃至Ｓ１３の処理動作を実行した後、前記Ｓ１２でＲＡＭ４に記憶されたユーザＩＤが共有ユーザＩＤであるか否かを共有ユーザ判別情報に基づいて判断する（Ｓ２０１）。具体的には、ウェブページの送信を要求するクライアントＰＣのユーザＩＤと対応付けてＲＡＭ４のユーザ情報管理テーブル（不図示）に登録された共有ユーザ判別情報に基づいて、ユーザＩＤが共有ユーザＩＤであるか否かを判断する。
【００４７】
制御部２は、前記Ｓ１２でＲＡＭ４に記憶されたユーザＩＤが共有ユーザＩＤでないと判断した場合（Ｓ２０１：ＮＯ）、前記Ｓ１５の処理動作を実行する。一方、前記Ｓ１２でＲＡＭ４に記憶されたユーザＩＤが共有ユーザＩＤであると判断した場合（Ｓ２０１：ＹＥＳ）、前記Ｓ１６の処理動作を実行する。
【００４８】
次に、クライアントＰＣ２０が返信した言語指定情報を複合機１Ａが受信した場合に実行される処理動作を図１３に示すフローチャートに基づいて説明する。制御部２は、前記Ｓ２１及びＳ２２の処理動作を実行した後、言語指定情報を返信したクライアントＰＣ２０のユーザＩＤが共有ユーザＩＤであるか否かを共有ユーザ判別情報に基づいて判断する（Ｓ３０１）。クライアントＰＣ２０のユーザＩＤが共有ユーザＩＤでないと判断した場合（Ｓ３０１：ＮＯ）、前記Ｓ２４の処理動作を実行する。一方、クライアントＰＣ２０のユーザＩＤが共有ユーザＩＤであると判断した場合（Ｓ３０１：ＹＥＳ）、前記Ｓ２５の処理動作を実行する。
【００４９】
以上説明したように、複合機１Ａは、ウェブページの送信を要求したクライアントＰＣ２０のユーザＩＤが共有ユーザＩＤである場合、ＩＰアドレスに対応付けられた言語指定情報が指定する言語のウェブページをクライアントＰＣ２０に送信するので、ユーザＩＤを複数のユーザで共有している場合にも、ユーザは、ウェブページを閲覧する毎に言語設定を行うことなく、それぞれ異なる言語のウェブページを閲覧することができる。
【００５０】
なお、本実施形態において、複合機１、１Ａは、ユーザ情報登録画面２４を通じてユーザ情報を登録した場合に、ユーザＩＤと言語指定情報とを第１のテーブル１６に登録、又はＩＰアドレスと言語指定情報とを第２のテーブル１７に登録するようになっていたが、言語指定情報を第１のテーブル１６及び第２のテーブル１７の両方に登録するようにしてもよい。両方に登録されていても、ウェブページの送信時に参照するテーブルは、いずれか一方のテーブル１６又は１７となるからである。
【産業上の利用可能性】
【００５１】
本発明は、例えば、ウェブサーバ機能を備えた複合機に適用することができる。
【図面の簡単な説明】
【００５２】
【図１】本発明の実施形態に係る複合機の構成例を示すブロック図である。
【図２】ユーザＩＤ／ＩＰアドレス設定画面の一例を示した図である。
【図３】ユーザ情報登録画面の一例を示した図である。
【図４】本発明の第１の実施形態に係る複合機において、ユーザ情報の登録をした場合に実行される処理動作を示したフローチャートである。
【図５】第１のテーブルを例示した図である。
【図６】第２のテーブルを例示した図である。
【図７】本発明の第１の実施形態に係る複合機において、ウェブページの送信要求があった場合に実行される処理動作を示したフローチャートである。
【図８】ファクシミリ受信履歴画面の一例を示した図である。
【図９】ファクシミリ受信履歴画面おいて、メニューバーが操作された場合の一例を示した図である。
【図１０】本発明の第１の実施形態に係る複合機において、クライアントＰＣが返信した言語指定情報を受信した場合に実行される処理動作を示したフローチャートである。
【図１１】本発明の第２の実施形態に係る複合機において、言語指定情報の登録をした場合に実行される処理動作を示したフローチャートである。
【図１２】本発明の第２の実施形態に係る複合機において、ウェブページの送信要求があった場合に実行される処理動作を示したフローチャートである。
【図１３】本発明の第２の実施形態に係る複合機において、クライアントＰＣが返信した言語指定情報を受信した場合に実行される処理動作を示したフローチャートである。
【符号の説明】
【００５３】
１、１Ａ    複合機
２    制御部
３    ＲＯＭ
４    ＲＡＭ
１６    第１のテーブル
１７    第２のテーブル
２０ａ（２０）乃至２０ｃ（２０）    クライアントＰＣ
【図１】
2006135774.tif 000003
【図２】
2006135774.tif 000004
【図３】
2006135774.tif 000005
【図４】
2006135774.tif 000006
【図５】
2006135774.tif 000007
【図６】
2006135774.tif 000008
【図７】
2006135774.tif 000009
【図８】
2006135774.tif 000010
【図９】
2006135774.tif 000011
【図１０】
2006135774.tif 000012
【図１１】
2006135774.tif 000013
【図１２】
2006135774.tif 000014
【図１３】
2006135774.tif 000015